(57)【要約】  非ＬＴＥモジュール（たとえば、ＧＳＭ（登録商標）モジュールまたは１ｘモジュール）が同じアンテナをＬＴＥ  ＤＲｘモジュールと共有するように、デバイスアンテナが割り振られ得る。これにより、ＬＴＥ  ＤＲｘモジュールがＬＴＥ送信アンテナ選択を実行するとき、非ＬＴＥ音声サービスが劣化し、ボイススロットの受信／送信中に非ＬＴＥモジュールが異なるアンテナに切り替えられ、その結果、スロットの損失が生じ得る。したがって、アンテナ切替えを制御するための方法、装置、およびコンピュータプログラム製品が提供される。本装置は、第１の無線モジュールが第１の動作を実行するために第１のアンテナを使用することを可能にし、第２の動作を実行するための送信アンテナ選択中に第２の無線モジュールが第１のアンテナを使用しようと試みることを検出し、第１の動作のタイプに基づいて、第１のアンテナの使用を第１の無線モジュールから第２の無線モジュールに切り替えるべきかどうかを決定する。
2016532384.tif 000002
【特許請求の範囲】
【請求項１】
アンテナ切替えを制御する方法であって、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することと
を備える、方法。
【請求項２】
前記第２の無線モジュールがＬＴＥ無線モジュールである、請求項１に記載の方法。
【請求項３】
前記第１のアンテナの使用を切り替えるべきかどうかを前記決定することは、
前記第２の動作のタイプを決定することと、
前記第２の動作の前記タイプが前記第１の動作の前記タイプよりも低い優先度を有するとき、前記第１のアンテナを使用するために前記第２の無線モジュールを切り替えることを控えることと
を備える、請求項１に記載の方法。
【請求項４】
前記第１のアンテナの使用を切り替えるべきかどうかを前記決定することは、
前記第２の動作の前記タイプが動作のセット中にあるかどうかを決定することと、
前記第２の動作の前記タイプが動作の前記セット中にあるとき、前記第２の動作の前記タイプが前記低い優先度を有することを識別することと
をさらに備える、請求項３に記載の方法。
【請求項５】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービス
のうちの少なくとも１つを備える、請求項４に記載の方法。
【請求項６】
前記第１のアンテナの使用を切り替えるべきかどうかを前記決定することは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
をさらに備える、請求項４に記載の方法。
【請求項７】
前記控えることは、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えること
を備える、請求項３に記載の方法。
【請求項８】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービス
のうちの少なくとも１つを備える、請求項４に記載の方法。
【請求項９】
前記第１の動作の前記タイプがアイドルモードを備え、前記第１のアンテナの使用を切り替えるべきかどうかを前記決定することは、
アイドルモードウェイク期間中、前記第２の動作の前記タイプが前記低い優先度を有することを識別することと、
前記アイドルモードウェイク期間中、前記第２の無線モジュールが前記第１のアンテナを使用するように切り替えることを控えることと
を備える、請求項３に記載の方法。
【請求項１０】
前記第１のアンテナの使用を切り替えるべきかどうかを前記決定することは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
をさらに備える、請求項９に記載の方法。
【請求項１１】
前記第１の動作の前記タイプが、ボイス呼、または不良チャネル状態中に行われる動作を備え、
前記第１のアンテナの使用を切り替えるべきかどうかを前記決定することは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記低い優先度を有することを識別することと
をさらに備える、
請求項３に記載の方法。
【請求項１２】
前記第１のアンテナの使用を切り替えるべきかどうかを前記決定することが、前記ＳＲＳ送信をドロップすることをさらに備える、請求項１１に記載の方法。
【請求項１３】
アンテナ切替えを制御するための装置であって、
メモリと、
前記メモリに結合され、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することと
を行うように構成された、少なくとも１つのプロセッサと
を備える、装置。
【請求項１４】
前記第２の無線モジュールがＬＴＥ無線モジュールである、請求項１３に記載の装置。
【請求項１５】
前記少なくとも１つのプロセッサは、
前記第２の動作のタイプを決定することと、
前記第２の動作の前記タイプが前記第１の動作の前記タイプよりも低い優先度を有するとき、前記第２の無線モジュールが前記第１のアンテナを使用するように切り替えることを控えることと
によって前記第１のアンテナの使用を切り替えるべきかどうかを決定するように構成された、請求項１３に記載の装置。
【請求項１６】
前記少なくとも１つのプロセッサは、
前記第２の動作の前記タイプが動作のセット中にあるかどうかを決定することと、
前記第２の動作の前記タイプが動作の前記セット中にあるとき、前記第２の動作の前記タイプが前記低い優先度を有することを識別することと
によって前記第１のアンテナの使用を切り替えるべきかどうかを決定するようにさらに構成された、請求項１５に記載の装置。
【請求項１７】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービス
のうちの少なくとも１つを備える、請求項１６に記載の装置。
【請求項１８】
前記少なくとも１つのプロセッサは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
によって前記第１のアンテナの使用を切り替えるべきかどうかを決定するようにさらに構成された、請求項１６に記載の装置。
【請求項１９】
前記少なくとも１つのプロセッサが、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えること
によって控えるように構成された、請求項１５に記載の装置。
【請求項２０】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービス
のうちの少なくとも１つを備える、請求項１６に記載の装置。
【請求項２１】
前記第１の動作の前記タイプがアイドルモードを備え、前記少なくとも１つのプロセッサは、
アイドルモードウェイク期間中、前記第２の動作の前記タイプが前記低い優先度を有することを識別することと、
前記アイドルモードウェイク期間中、前記第２の無線モジュールが前記第１のアンテナを使用するように切り替えることを控えることと
によって、前記第１のアンテナの使用を切り替えるべきかどうかを決定するようにさらに構成された、請求項１５に記載の装置。
【請求項２２】
前記少なくとも１つのプロセッサは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
によって、前記第１のアンテナの使用を切り替えるべきかどうかを決定するようにさらに構成された、請求項２１に記載の装置。
【請求項２３】
前記第１の動作の前記タイプが、ボイス呼、または不良チャネル状態中に行われる動作を備え、
前記少なくとも１つのプロセッサは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記低い優先度を有することを識別することと
によって、前記第１のアンテナの使用を切り替えるべきかどうかを決定するようにさらに構成された、
請求項１５に記載の装置。
【請求項２４】
前記少なくとも１つのプロセッサが、前記ＳＲＳ送信をドロップするようにさらに構成された、請求項２３に記載の装置。
【請求項２５】
アンテナ切替えを制御するための装置であって、
第１の無線モジュールが第１の動作を実行するために第１のアンテナを使用することを可能にするための手段と、
第２の動作を実行するための送信アンテナ選択中に第２の無線モジュールが前記第１のアンテナを使用しようと試みることを検出するための手段と、
前記第１の動作のタイプに基づいて、前記第１のアンテナの使用を前記第１の無線モジュールから前記第２の無線モジュールに切り替えるべきかどうかを決定するための手段と
を備える、装置。
【請求項２６】
前記第１のアンテナの使用を切り替えるべきかどうかを決定するための前記手段は、
前記第２の動作のタイプを判断することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記低い優先度を有するとき、前記第２の無線モジュールが前記第１のアンテナを使用するように切り替えることを控えることと
を行うように構成された、請求項２５に記載の装置。
【請求項２７】
前記第１のアンテナの使用を切り替えるべきかどうかを決定するための前記手段は、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、請求項２６に記載の装置。
【請求項２８】
コンピュータ可読媒体に記憶されたアンテナ切替えを制御するためのコンピュータプログラム製品あって、少なくとも１つのコンピュータ上で実行されたとき、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することと
のステップを実行するコードを備える、コンピュータプログラム製品。
【請求項２９】
前記第１のアンテナの使用を切り替えるべきかどうかを決定する前記ステップを実行する前記コードは、
前記第２の動作のタイプを判断することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記低い優先度を有するとき、前記第２の無線モジュールが前記第１のアンテナを使用するように切り替えることを控えることと
を行うように構成された、請求項２８に記載のコンピュータプログラム製品。
【請求項３０】
前記第１のアンテナの使用を切り替えるべきかどうかを決定する前記ステップを実行する前記コードは、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、請求項２９に記載のコンピュータプログラム製品。
【発明の詳細な説明】
【技術分野】
【０００１】
関連出願の相互参照
[0001]  本出願は、その全体が参照により本明細書に明確に組み込まれる、２０１３年８月２３日に出願された「TX ANTENNA SELECTION FOR LTE（登録商標） IN MULTIPLE RADIO DEVICES」と題する米国仮出願第６１／８６９，６２０号、および２０１４年８月１３日に出願された「TX ANTENNA SELECTION FOR LTE IN MULTIPLE RADIO DEVICES」と題する米国非仮出願第１４／４５９，２９２号の利益を主張する。
【０００２】
[0002]  本開示は、一般に通信システムに関し、より詳細には、複数無線デバイスにおいてアンテナの使用を第１の無線モジュールから第２の無線モジュールに切り替えるべきかどうかを決定することに関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  非ＬＴＥ無線モジュール（たとえば、ＧＳＭ（登録商標）モジュールまたは１ｘモジュール）が同じアンテナをＬＴＥ  ＤＲｘ無線モジュールと共有するように、デバイスアンテナが割り振られ得る。これにより非ＬＴＥ音声サービスが劣化し得る。ＬＴＥ無線モジュールがＬＴＥ送信アンテナ選択を実行するとき、ボイススロットの受信／送信中に非ＬＴＥ無線モジュールが異なるアンテナに切り替えられる。非ＬＴＥ無線モジュールが異なるアンテナに切り替えられることにより、ボイススロットの損失（loss of the voice slot）が生じる。したがって、より優先度の高い動作に同時に関与する非ＬＴＥ無線モジュールが、ＬＴＥ送信アンテナ選択を実行するためにＬＴＥ無線モジュールによって使用される同じアンテナに接続されている場合、ＬＴＥ送信アンテナ選択を実行するＬＴＥ無線モジュールの周波数を除去するかまたは低下させるためにアンテナ切替えを制御するための方法、コンピュータプログラム製品、および装置が提供される。
【０００６】
[0006]  一態様では、本装置は、第１の無線モジュールが第１の動作を実行するために第１のアンテナを使用することを可能にし、第２の動作を実行するための送信アンテナ選択中に第２の無線モジュールが第１のアンテナを使用しようと試みることを検出し、第１の動作のタイプに基づいて、第１のアンテナの使用を第１の無線モジュールから第２の無線モジュールに切り替えるべきかどうかを決定する。
【図面の簡単な説明】
【０００７】
【図１】[0007]  ネットワークアーキテクチャの一例を示す図。
【図２】[0008]  アクセスネットワークの一例を示す図。
【図３】[0009]  ＬＴＥにおけるＤＬフレーム構造の一例を示す図。
【図４】[0010]  ＬＴＥにおけるＵＬフレーム構造の一例を示す図。
【図５】[0011]  ユーザプレーンおよび制御プレーンのための無線プロトコルアーキテクチャの一例を示す図。
【図６】[0012]  アクセスネットワーク中の発展型ノードＢおよびユーザ機器の一例を示す図。
【図７】[0013]  異種ネットワーク中の範囲拡大セルラー領域を示す図。
【図８】[0014]  デバイスアンテナ割振りの一例を示す図。
【図９】[0015]  ある時間期間にわたるＬＴＥサウンディング基準信号（ＳＲＳ：sounding reference signal）シンボルとＧＳＭボイストラフィックスロットとの間での同時発生（concurrence）を示す図。
【図１０】[0016]  ＬＴＥ無線モジュールと非ＬＴＥ無線モジュールとの間でのアンテナ切替えを制御する例を示す図。
【図１１Ａ】[0017]  アンテナ切替えを制御する方法のフローチャート。
【図１１Ｂ】アンテナ切替えを制御する方法のフローチャート。
【図１２】[0018]  例示的な装置における異なるモジュール／手段／構成要素間のデータフローを示す概念データフロー図。
【図１３】[0019]  処理システムを採用する装置のためのハードウェア実装形態の一例を示す図。
【発明を実施するための形態】
【０００８】
[0020]  添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0021]  次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【００１０】
[0022]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0023]  したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含めるべきである。
【００１２】
[0024]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ：user equipment）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0025]  Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（backhaul）（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0026]  ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0027]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリア、および／または特定のカバレージエリアをサービスするｅＮＢサブシステムを指すことができる。さらに、「ｅＮＢ」、「基地局」、および「セル」という用語は、本明細書では互換的に使用され得る。
【００１６】
[0028]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0029]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0030]  空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0031]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0032]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッド（resource grid）が使用され得、各タイムスロットは１つまたは複数のリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックス（normal cyclic prefix）について、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0033]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0034]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0035]  初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0036]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0037]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0038]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、消失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0039]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0040]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００２９】
[0041]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0042]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0043]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＤＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（header decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0044]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、消失パケットの再送信、およびｅＮＢ６１０へのシグナリングを担当する。
【００３３】
[0045]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0046]  ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0047]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0048]  図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とによってセルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が、範囲拡大セルラー領域７０３に入るとき、マクロｅＮＢ７１０ａからのＵＥ７２０のハンドオフを受け入れることが可能になる。
【００３７】
[0049]  ＵＥ送信アンテナ選択は、開ループ動作と閉ループ動作とを含む。開ループ動作中、デバイスがポート０またはポート１上でサウンディング基準シンボル（ＳＲＳ：sounding reference symbol）を送信し得る。物理アップリンクスケジューリングチャネル（ＰＵＳＣＨ：physical uplink scheduling channel）または物理アップリンク制御チャネル（ＰＵＣＣＨ：physical uplink control channel）がポート０上で送信され得る。ＳＲＳアンテナ切替えのための周期性は２ｍｓの頻度であり得る。閉ループ動作中、すべてのアップリンク信号が、ｅＮＢシグナリングに応じてポート０またはポート１上で送信され得、１ｍｓの周期性を有し得る。インフラストラクチャベンダーは、現在、開ループ動作をサポートする。
【００３８】
[0050]  図８は、デバイスアンテナ割振りの一例を示す図８００である。図８を参照すると、ＵＥの観点から、デバイス相手先商標製造会社（ＯＥＭ：original equipment manufacturer）は、非ＬＴＥモジュール（たとえば、ＧＳＭモジュールまたは１ｘモジュール）が同じアンテナ（たとえば、Ａｎｔ０）をＬＴＥ  ＤＲｘモジュールと共有するように、デバイス中のアンテナを割り振り得る。そのようなデバイスは、たとえば、同時ＧＳＭおよびＬＴＥ（ＳＧＬＴＥ：simultaneous GSM（登録商標） and LTE）、同時ボイスおよびＬＴＥ（ＳＶＬＴＥ：simultaneous voice and LTE）、ＧＳＭ＋ＬＴＥデュアルＳＩＭデュアルアクティブ（ＤＳＤＡ：Dual SIM Dual Active）、ならびにＷＣＤＭＡ（登録商標）＋ＬＴＥ  ＤＳＤＡなど、様々なシステムに従って動作し得る。アンテナを非ＬＴＥとＬＴＥ無線モジュールの両方に割り振ることは、デバイスサイズを低減するためにまたはコストをカットするためにデバイスアンテナの数を制限しようと試みているデバイス製造業者の間で一般的であり得る。しかしながら、アンテナ割振り方式により、デバイスがＬＴＥ送信アンテナ選択を実行するとき、非ＬＴＥ音声サービスが劣化し得る。
【００３９】
[0051]  図９は、ある時間期間にわたるＬＴＥサウンディング基準信号（ＳＲＳ：sounding reference signal）シンボルとＧＳＭボイストラフィックスロットとの間での同時発生を示す図９００である。図９では、ＧＳＭボイストラフィックスロット９０２が約４〜５ｍｓごとに受信または送信され得る。ＬＴＥ動作のためのＳＲＳシンボル９０４が２ｍｓごとに送信され得る。９０６、９０８、および９１０に示されているように、ＬＴＥ  ＳＲＳシンボルの送信はＧＳＭボイストラフィックスロットの受信／送信と同時に発生（すなわち、衝突）し得る。現在、ＬＴＥモジュールがＬＴＥ送信アンテナ選択（たとえば、ＳＲＳ切替え）を実行する間、ボイストラフィックスロットの受信／送信中に、ＧＳＭボイス呼（voice call）を実行しているＧＳＭモジュールが異なるアンテナに切り替えられ得る。これによりボイストラフィックスロットは失われる。図９に示されているように、時間期間にわたって合計１０個のＧＳＭボイストラフィックスロットが受信／送信される。しかしながら、ＬＴＥモジュールがＳＲＳ切替えを２ｍｓのレートで実行するとき、ＧＳＭボイストラフィックスロットの１０個のうちの３つ（３０％）が、ＳＲＳシンボル送信（９０６、９０８、および９１０）と一致し、したがって、異なるアンテナへのＧＳＭモジュール切替えにより失われる。その結果、ＧＳＭ呼はドロップ（drop）される可能性がある。
【００４０】
[0052]  したがって、本開示は、より優先度の高い動作に同時に関与し、ＬＴＥ送信アンテナ選択を実行するためにＬＴＥ無線モジュールによって使用される同じアンテナに接続された非ＬＴＥ無線モジュールが存在する場合、ＬＴＥ送信アンテナ選択を実行するＬＴＥ無線モジュールの周波数を除去するかまたは低下させることに役立つ。本開示において提供されるソリューションは、デバイス製造コストを低下させることと、デバイスフットプリント（device footprint）を維持することとに有益である。
【００４１】
[0053]  図１０は、ＬＴＥ無線モジュールと非ＬＴＥ無線モジュールとの間でのアンテナ切替えを制御する例を示す図１０００である。図１０を参照すると、コントローラ１００２は、ＬＴＥ無線モジュール１００６がＵＥ送信アンテナ選択を実行する周波数を除去するかまたは低下させ得る。コントローラ１００２は、ＬＴＥ無線モジュール１００６によって選択されるべきアンテナと同じアンテナに非ＬＴＥ無線モジュール１００４が接続されており、非ＬＴＥ無線モジュール１００４がより優先度の高い動作を同時に実行しているとき、ＵＥ送信アンテナ選択を実行するためにアンテナを使用するＬＴＥ無線モジュール１００６の能力をスロットリングし得る。
【００４２】
[0054]  一態様では、非ＬＴＥ無線モジュール１００４によって実行されるより優先度の高い動作はボイス呼であり得る。したがって、非ＬＴＥ無線モジュール１００４がボイス呼を実行している場合、およびＬＴＥ無線モジュール１００６がデータ専用ＬＴＥサービスを行う場合、コントローラ１００２は、送信アンテナ選択を実行するＬＴＥ無線モジュール１００６の能力をスロットリングし得る。たとえば、スロットリング（throttling）は、コントローラ１００２が、ＬＴＥ無線モジュール１００６が送信アンテナ選択を実行するためにアンテナを使用するように切り替えることを控えることを含み得る。
【００４３】
[0055]  代替的に、非ＬＴＥ無線モジュール１００４がボイス呼を実行している場合、およびＬＴＥ無線モジュールがオンホールドボイスオーバーＬＴＥ（ＶｏＬＴＥ：Voice over LTE）サービスを行う場合、コントローラ１００２は、送信アンテナ選択を実行するＬＴＥ無線モジュール１００６の能力をスロットリングし得る。別の代替形態では、非ＬＴＥ無線モジュール１００４がボイス呼を実行している場合、およびＬＴＥ無線モジュール１００６が、高いＬＴＥ信号品質で通信している間のフォアグラウンドＶｏＬＴＥサービス（foreground VoLTE service）を行う場合、コントローラ１００２は、送信アンテナ選択を実行するＬＴＥ無線モジュール１００６の能力をスロットリングし得る。
【００４４】
[0056]  別の態様では、非ＬＴＥ無線モジュール１００４によって実行されるより優先度の高い動作は遅延敏感データ呼（delay-sensitive data call）（たとえば、ストリーミングビデオ）であり得る。したがって、非ＬＴＥ無線モジュール１００４が遅延敏感データ呼を実行している場合、およびＬＴＥ無線モジュール１００６がデータ専用ＬＴＥサービスを行う場合、コントローラ１００２は、送信アンテナ選択を実行するＬＴＥ無線モジュール１００６の能力をスロットリングし得る。代替的に、非ＬＴＥ無線モジュール１００４が遅延敏感データ呼を実行している場合、およびＬＴＥ無線モジュール１００６が、高いＬＴＥ信号品質で通信している間のＶｏＬＴＥサービスを行う場合、コントローラ１００２は、送信アンテナ選択を実行するＬＴＥ無線モジュール１００６の能力をスロットリングし得る。
【００４５】
[0057]  さらなる態様では、非ＬＴＥ無線モジュール１００４によって実行されるより優先度の高い動作は、感度（sensitivity）に近いアイドルモード（idle mode）であり得る。したがって、非ＬＴＥ無線モジュール１００４がアイドルモードウェイク期間中（during an idle mode wake period）にある場合、コントローラ１００２は、送信アンテナ選択を実行するＬＴＥ無線モジュール１００６の能力をスロットリングし得る。
【００４６】
[0058]  図１１Ａは、ワイヤレス通信のためのアンテナ切替えを制御する方法のフローチャート１１００である。本方法はＵＥによって実行され得る。ステップ１１０２において、ＵＥは、第１の無線モジュールが第１の動作を実行するために第１のアンテナを使用することを可能にする。ステップ１１０３において、ＵＥは、第２の動作を実行するための送信アンテナ選択中に第１のアンテナを使用する第２の無線モジュールの意図を検出する。第２の無線モジュールは、たとえば、ＬＴＥ無線モジュールであり得る。
【００４７】
[0059]  ステップ１１０４において、ＵＥは、第１の動作のタイプを決定する。第１の動作は、たとえば、ボイス呼、遅延敏感データ呼（たとえば、ストリーミングビデオ）、またはアイドルモードのうちのいずれかであり得る。第２の動作は、たとえば、データ専用ＬＴＥサービス、オンホールドボイスオーバーＬＴＥ（ＶｏＬＴＥ）サービス、またはフォアグラウンドＶｏＬＴＥサービスのうちのいずれかであり得る。さらに、異なるタイプの動作は異なる優先度を有し得る。たとえば、優先度は、高レイテンシをサポートすることができる動作よりも低レイテンシ動作（たとえば、データ専用ＬＴＥサービス（第２の動作）よりもボイス呼（第１の動作））を選好し得る。別の例では、優先度は、ＵＥがウェイク期間中にあるとき、第２の動作のいかなるタイプよりもアイドルモード（第１の動作）を選好し得る。したがって、１つの動作は別の動作よりも高い優先度（higher priority）を有し得る。
【００４８】
[0060]  その後、ステップ１１０５において、ＵＥは、第１の動作のタイプと第２の動作のタイプとの間の優先度に基づいて、第１のアンテナの使用を第１の無線モジュールから第２の無線モジュールに切り替えるべきかどうかを決定する。
【００４９】
[0061]  一態様では、第１の動作のタイプが、ボイス呼、または不良チャネル状態（poor channel condition）中に行われる動作であるとき、ＵＥは、第２の動作のタイプがサウンディング基準信号（ＳＲＳ）送信であるとさらに決定し得る。したがって、ＵＥは、ＳＲＳ送信が第１の動作のタイプ（たとえば、ボイス呼）よりも低い優先度（lower priority）を有することを識別することと、ＳＲＳ送信がより低い優先度を有するとき、第１のアンテナを使用するために第２の無線モジュールを切り替えることを控えることとによって、第１のアンテナの使用を切り替えるべきかどうかを決定し得る。ＵＥは、より優先度の低いＳＲＳ送信をさらにドロップし得る。
【００５０】
[0062]  図１１Ｂは、図１１Ａのステップ１１０５を詳述するフローチャート１１０６である。一態様では、ＵＥは、第２の動作のタイプを決定することと、第２の動作のタイプが第１の動作のタイプよりも低い優先度を有するとき、第１のアンテナを使用するために第２の無線モジュールを切り替えることを控えることとによって、第１のアンテナの使用を第１の無線モジュールから第２の無線モジュールに切り替えるべきかどうかを決定し得る。一態様では、第１の動作がボイス呼であるとき、ＵＥは、第２の動作のタイプが動作のセット（a set of operations）中に含まれるかどうかを決定し得る。ここでは、動作のセットは、ＬＴＥデータ専用サービス（LTE data-only service）、オンホールドボイスオーバーＬＴＥ（ＶｏＬＴＥ）サービス（on-hold Voice over LTE (VoLTE) service）、または高いＬＴＥ信号品質で通信している間のフォアグラウンドＶｏＬＴＥサービスのうちの少なくとも１つを含み得る。第２の動作のタイプが動作のセット中にあると決定されたとき、ＵＥは、第２の動作のタイプがより低い優先度を有することを識別し、第２の無線モジュールが第１のアンテナを使用するように切り替えることを控える。一態様では、ＵＥは、第１の動作の持続時間の間、第１のアンテナを使用するために第２の無線モジュールを切り替えることを控える。別の態様では、ＵＥは、第１の動作を実行するために使用されるタイムスロットにおいて、第１のアンテナを使用するために第２の無線モジュールを切り替えることを控える。さらなる態様では、第２の動作のタイプが動作のセット中にないと決定されたとき、ＵＥは、第２の動作のタイプがボイス呼よりも高い優先度を有することを識別し、第２の無線モジュールが第１のアンテナを使用するように切り替える。
【００５１】
[0063]  たとえば、ステップ１１０８において、ＵＥは、第２の動作のタイプがＬＴＥデータ専用サービスであるかどうかを決定する。肯定的結果に基づいて、ＵＥは、ステップ１１１６に進み、第１のアンテナを使用するために第２の無線モジュールを切り替えることを控える。否定的結果に基づいて、ＵＥはステップ１１１０に進む。
【００５２】
[0064]  ステップ１１１０において、ＵＥは、第２の動作のタイプがオンホールドＶｏＬＴＥサービスであるかどうかを決定する。肯定的結果に基づいて、ＵＥは、ステップ１１１６に進み、第１のアンテナを使用するために第２の無線モジュールを切り替えることを控える。否定的結果に基づいて、ＵＥはステップ１１１２に進む。
【００５３】
[0065]  ステップ１１１２において、ＵＥは、第２の動作のタイプがフォアグラウンドＶｏＬＴＥサービスであると決定し、ＵＥが高いＬＴＥ信号品質で通信しているかどうかをさらに決定する。第２の動作のタイプがフォアグラウンドＶｏＬＴＥサービスであり、ＵＥが高いＬＴＥ信号品質で通信するとき、ＵＥは、ステップ１１１６に進み、第１のアンテナを使用するために第２の無線モジュールを切り替えることを控える。
【００５４】
[0066]  ステップ１１１２における否定的結果に基づいて、ＵＥはステップ１１１８に進む。ステップ１１１８において、ＵＥは、第２の動作が動作のセット中にないと決定し、第１のアンテナを使用するために第２の無線モジュールを切り替える。その後、ステップ１１２０において、ＵＥは、場合によっては、第１の無線モジュールに第１の動作を実行するために第２のアンテナを使用するように指示する。
【００５５】
[0067]  さらなる態様では、第１の動作が遅延敏感データ呼であるとき、ＵＥは、第２の動作のタイプが動作のセット中に含まれるかどうかを決定し得る。ここでは、動作のセットは、ＬＴＥデータ専用サービス、または高いＬＴＥ信号品質で通信している間のＶｏＬＴＥサービスのうちの少なくとも１つを含み得る。第２の動作のタイプが動作のセット中にあると決定されたとき、ＵＥは、第２の動作のタイプがより低い優先度を有することを識別し、第１のアンテナを使用するために第２の無線モジュールを切り替えることを控える。一態様では、ＵＥは、第１の動作の持続時間の間、第１のアンテナを使用するために第２の無線モジュールを切り替えることを控える。別の態様では、ＵＥは、第１の動作を実行するために使用されるタイムスロットにおいて、第１のアンテナを使用するために第２の無線モジュールを切り替えることを控える。さらなる態様では、第２の動作のタイプが動作のセット中にないと決定されたとき、ＵＥは、第２の動作のタイプが遅延敏感データ呼よりも高い優先度を有することを識別し、第１のアンテナを使用するために第２の無線モジュールを切り替える。
【００５６】
[0068]  たとえば、ステップ１１２２において、ＵＥは、第２の動作のタイプがＬＴＥデータ専用サービスであるかどうかを決定する。肯定的結果に基づいて、ＵＥは、ステップ１１１６に進み、第１のアンテナを使用するために第２の無線モジュールを切り替えることを控える。否定的結果に基づいて、ＵＥはステップ１１２４に進む。
【００５７】
[0069]  ステップ１１２４において、ＵＥは、第２の動作のタイプがＶｏＬＴＥサービスであると決定し、ＵＥが高いＬＴＥ信号品質で通信しているかどうかをさらに決定する。第２の動作のタイプがＶｏＬＴＥサービスであり、ＵＥが高いＬＴＥ信号品質で通信するとき、ＵＥは、ステップ１１１６に進み、第１のアンテナを使用するために第２の無線モジュールを切り替えることを控える。
【００５８】
[0070]  ステップ１１２４における否定的結果に基づいて、ＵＥはステップ１１１８に進む。ステップ１１１８において、ＵＥは、第２の動作のタイプが動作のセット中にないと決定し、第１のアンテナを使用するために第２の無線モジュールを切り替える。その後、ステップ１１２０において、ＵＥは、場合によっては、第１の無線モジュールに第１の動作を実行するために第２のアンテナを使用するように指示する。
【００５９】
[0071]  別の態様では、第１の動作のタイプがアイドルモードであるとき、ステップ１１２８において、ＵＥは、ＵＥがアイドルモードウェイク期間中にあるかどうかを決定する。肯定的結果に基づいて、ＵＥは、第２の動作のタイプがより低い優先度を有することを識別し、ステップ１１１６に進み、ＵＥは、アイドルモードウェイク期間中に、第１のアンテナを使用するために第２の無線モジュールを切り替えることを控える。否定的結果に基づいて、ＵＥは、ＵＥがアイドルモードスリープ期間（idle mode sleep period）中にあると決定し、第２の動作のタイプがアイドルモードよりも高い優先度を有することを識別する。ＵＥは、次いで、ステップ１１１８に進み、ＵＥは、アイドルモードスリープ期間中、第１のアンテナを使用するために第２の無線モジュールを切り替える。
【００６０】
[0072]  図１２は、例示的な装置１２０２の異なるモジュール／手段／構成要素間のデータフローを示す概念データフロー図１２００である。本装置は、ワイヤレス通信のためのアンテナ切替えを制御するＵＥであり得る。本装置は、受信モジュール１２０４と、第１の無線モジュール１２０６と、第２の無線モジュール１２０８と、切替えモジュール１２１０と、アンテナモジュール１２１２と、送信モジュール１２１４とを含む。
【００６１】
[0073]  切替えモジュール１２１０は、第１の無線モジュール１２０６が第１の動作を実行するためにアンテナモジュール１２１２の第１のアンテナを使用することを可能にするために、シグナリング１２６６を与える。第１の無線モジュール１２０６は、送信モジュール１２１４とアンテナモジュール１２１２の第１のアンテナとを介して第１の動作を実行し得る。たとえば、第１の無線モジュール１２０６は送信モジュール１２１４に信号１２７０を送り、アンテナモジュール１２１２の第１のアンテナに信号１２７４を送るように送信モジュール１２１４に促し得る。アンテナモジュール１２１２の第１のアンテナは、次いで、信号１２７０および１２７４に対応する基地局１２５０に信号１２５４を送り得る。第１の無線モジュール１２０６はまた、受信モジュール１２０４を介して第１の動作を実行し得る。たとえば、アンテナモジュール１２１２の第１のアンテナは基地局１２５０から信号１２５２を受信し、受信モジュール１２０４に信号１２５６を送るようにアンテナモジュール１２１２に促し得る。第１の無線モジュール１２０６は、次いで、信号１２５２および１２５６に対応する受信モジュール１２０４から信号１２７２を受信し得る。切替えモジュール１２１０は、第２の無線モジュール１２０８が、第２の動作を実行するための送信アンテナ選択中にアンテナモジュール１２１２の第１のアンテナを使用しようと試みることを、信号１２６０および／または信号１２６２の通信を介して検出する。第２の無線モジュール１２０８は、送信モジュール１２１４とアンテナモジュール１２１２とを介して第２の動作を実行し得る。たとえば、第２の無線モジュール１２０８は送信モジュール１２１４に信号１２６８を送り、アンテナモジュール１２１２に信号１２７４を送るように送信モジュール１２１４に促し得る。アンテナモジュール１２１２は、次いで、信号１２６８および１２７４に対応する基地局１２５０に信号１２５４を送り得る。第２の無線モジュール１２０８はまた、受信モジュール１２０４を介して第２の動作を実行し得る。たとえば、アンテナモジュール１２１２は基地局１２５０から信号１２５２を受信し、受信モジュール１２０４に信号１２５６を送るようにアンテナモジュール１２１２に促し得る。第２の無線モジュール１２０８は、次いで、信号１２５２および１２５６に対応する受信モジュール１２０４から信号１２７８を受信し得る。第２の無線モジュール１２０８は、たとえば、ＬＴＥ無線モジュールであり得る。
【００６２】
[0074]  切替えモジュール１２１０は、受信モジュール１２０４から受信したシグナリング１２５８および／または第１の無線モジュール１２０６から受信したシグナリング１２６４を介して第１の動作のタイプを決定する。その後、切替えモジュール１２１０は、第１の動作のタイプと第２の動作のタイプとの間の優先度に基づいて、アンテナモジュール１２１２の第１のアンテナの使用を第１の無線モジュール１２０６から第２の無線モジュール１２０８に切り替えるべきかどうかを決定し得る。たとえば、第１の動作のタイプは、ボイス呼、遅延敏感データ呼、またはアイドルモードであり得る。
【００６３】
[0075]  一態様では、第１の動作のタイプがボイス呼、または不良チャネル状態中に行われる動作であるとき、切替えモジュール１２１０は、第２の無線モジュール１２０８から受信したシグナリング１２６２および／または受信モジュール１２０４から受信したシグナリング１２５８を介して第２の動作のタイプがサウンディング基準信号（ＳＲＳ）送信であるとさらに決定し得る。したがって、切替えモジュール１２１０は、ＳＲＳ送信が第１の動作のタイプ（たとえば、ボイス呼）よりも低い優先度を有することを識別することと、ＳＲＳ送信がより低い優先度を有するとき、第１のアンテナを使用するために第２の無線モジュール１２０８を切り替えることを控えることとによって、アンテナモジュール１２１２の第１のアンテナの使用を切り替えるべきかどうかを決定し得る。切替えモジュール１２１０は、より優先度の低いＳＲＳ送信をさらにドロップし得る。
【００６４】
[0076]  一態様では、切替えモジュール１２１０は、第２の動作のタイプを決定することと、第２の動作のタイプが第１の動作のタイプよりも低い優先度を有するとき、アンテナモジュール１２１２の第１のアンテナを使用するために第２の無線モジュール１２０８を切り替えることを控えることとによって、アンテナモジュール１２１２の第１のアンテナの使用を第１の無線モジュール１２０６から第２の無線モジュール１２０８に切り替えるべきかどうかを決定し得る。一態様では、第１の動作がボイス呼であるとき、切替えモジュール１２１０は、第２の動作のタイプが動作のセット中に含まれるかどうかを決定し得る。ここでは、動作のセットは、ＬＴＥデータ専用サービス、オンホールドボイスオーバーＬＴＥ（ＶｏＬＴＥ）サービス、または高いＬＴＥ信号品質で通信している間のフォアグラウンドＶｏＬＴＥサービスのうちの少なくとも１つを含み得る。第２の動作のタイプが動作のセット中にあると決定されたとき、切替えモジュール１２１０は、第２の動作のタイプがより低い優先度を有することを識別し、アンテナモジュール１２１２の第１のアンテナを使用するために第２の無線モジュール１２０８を切り替えることを控える。一態様では、切替えモジュール１２１０は、第１の動作の持続時間の間、アンテナモジュール１２１２の第１のアンテナを使用するために第２の無線モジュール１２０８を切り替えることを控える。別の態様では、切替えモジュール１２１０は、第１の動作を実行するために使用されるタイムスロットにおいて、アンテナモジュール１２１２の第１のアンテナを使用するために第２の無線モジュール１２０８を切り替えることを控える。さらなる態様では、第２の動作のタイプが動作のセット中にないと決定されたとき、切替えモジュール１２１０は、第２の動作のタイプがボイス呼よりも高い優先度を有することを識別し、アンテナモジュール１２１２の第１のアンテナの使用をトリガするために第２の無線モジュール１２０８にシグナリング１２６０を与える。
【００６５】
[0077]  たとえば、切替えモジュール１２１０は、第２の無線モジュール１２０８から受信したシグナリング１２６２および／または受信モジュール１２０４から受信したシグナリング１２５８を介して第２の動作のタイプがＬＴＥデータ専用サービスであるかどうかを決定する。そうである場合、切替えモジュール１２１０は、アンテナモジュール１２１２の第１のアンテナを使用するために第２の無線モジュール１２０８を切り替えることを控える。第２の動作のタイプがＬＴＥデータ専用サービスでない場合、切替えモジュール１２１０は、第２の無線モジュール１２０８から受信したシグナリング１２６２および／または受信モジュール１２０４から受信したシグナリング１２５８を介して第２の動作がオンホールドＶｏＬＴＥサービスであるかどうかを決定する。第２の動作のタイプがオンホールドＶｏＬＴＥサービスである場合、切替えモジュール１２１０は、アンテナモジュール１２１２の第１のアンテナを使用するために第２の無線モジュール１２０８を切り替えることを控える。
【００６６】
[0078]  第２の動作のタイプがオンホールドＬＴＥサービスでない場合、切替えモジュール１２１０は、第２の無線モジュール１２０８から受信したシグナリング１２６２および／または受信モジュール１２０４から受信したシグナリング１２５８を介して第２の動作のタイプがフォアグラウンドＶｏＬＴＥサービスであると決定し得、装置１２０２が高いＬＴＥ信号品質で通信しているかどうかをさらに決定し得る。第２の動作のタイプがフォアグラウンドＶｏＬＴＥサービスであり、装置１２０２が高いＬＴＥ信号品質で通信するとき、切替えモジュール１２１０は、第１のアンテナを使用するために第２の無線モジュール１２０８を切り替えることを控える。
【００６７】
[0079]  第２の動作のタイプがフォアグラウンドＶｏＬＴＥサービスでなく、および／または装置１２０２が高いＬＴＥ信号品質で通信しない場合、切替えモジュール１２１０は、第２の動作のタイプが動作のセット中にないと決定し、アンテナモジュール１２１２の第１のアンテナの使用をトリガするために第２の無線モジュール１２０８にシグナリング１２６０を与える。その後、切替えモジュール１２１０は、場合によっては、第１の動作を実行するためにアンテナモジュール１２１２の第２のアンテナの使用をトリガするために第１の無線モジュール１２０６にシグナリング１２６６を与え得る。
【００６８】
[0080]  さらなる態様では、第１の動作が遅延敏感データ呼であるとき、切替えモジュール１２１０は、第２の無線モジュール１２０８から受信したシグナリング１２６２および／または受信モジュール１２０４から受信したシグナリング１２５８を介して第２の動作のタイプが動作のセット中に含まれるかどうかを決定し得る。ここでは、動作のセットは、ＬＴＥデータ専用サービス、または高いＬＴＥ信号品質で通信している間のＶｏＬＴＥサービスのうちの少なくとも１つを含み得る。第２の動作のタイプが動作のセット中にあると決定されたとき、切替えモジュール１２１０は、第２の動作のタイプがより低い優先度を有することを識別し、アンテナモジュール１２１２の第１のアンテナを使用するために第２の無線モジュール１２０８を切り替えることを控える。一態様では、切替えモジュール１２１０は、第１の動作の持続時間の間、アンテナモジュール１２１２の第１のアンテナを使用するために第２の無線モジュール１２０８を切り替えることを控える。別の態様では、切替えモジュール１２１０は、第１の動作を実行するために使用されるタイムスロットにおいて、アンテナモジュール１２１２の第１のアンテナを使用するために第２の無線モジュール１２０８を切り替えることを控える。さらなる態様では、第２の動作のタイプが動作のセット中にないと決定されたとき、切替えモジュール１２１０は、第２の動作のタイプが遅延敏感データ呼よりも高い優先度を有することを識別し、アンテナモジュール１２１２の第１のアンテナの使用をトリガするために第２の無線モジュール１２０８にシグナリング１２６０を与える。
【００６９】
[0081]  たとえば、切替えモジュール１２１０は、第２の無線モジュール１２０８から受信したシグナリング１２６２および／または受信モジュール１２０４から受信したシグナリング１２５８を介して第２の動作のタイプがＬＴＥデータ専用サービスであるかどうかを決定する。第２の動作のタイプがＬＴＥデータ専用サービスであるとき、切替えモジュール１２１０は、アンテナモジュール１２１２の第１のアンテナを使用するために第２の無線モジュール１２０８を切り替えることを控える。第２の動作のタイプがＬＴＥデータ専用サービスでないとき、切替えモジュール１２１０は、第２の無線モジュール１２０８から受信したシグナリング１２６２および／または受信モジュール１２０４から受信したシグナリング１２５８を介して第２の動作のタイプがＶｏＬＴＥサービスであるかどうかを決定し得る。
【００７０】
[0082]  第２の動作のタイプがＶｏＬＴＥサービスであるとき、切替えモジュール１２１０は、第２の無線モジュール１２０８から受信したシグナリング１２６２および／または受信モジュール１２０４から受信したシグナリング１２５８を介して装置１２０２が高いＬＴＥ信号品質で通信しているかどうかを決定する。第２の動作のタイプがＶｏＬＴＥサービスであり、装置１２０２が高いＬＴＥ信号品質で通信するとき、切替えモジュール１２１０は、アンテナモジュール１２１２の第１のアンテナを使用するために第２の無線モジュール１２０８を切り替えることを控える。
【００７１】
[0083]  第２の動作のタイプがＶｏＬＴＥサービスでない場合、および／または装置１２０２が高いＬＴＥ信号品質で通信しない場合、切替えモジュール１２１０は、第２の動作が動作のセット中にないと決定し、アンテナモジュール１２１２の第１のアンテナの使用をトリガするために第２の無線モジュール１２０８にシグナリング１２６０を与える。その後、切替えモジュール１２１０は、場合によっては、第１の動作を実行するためにアンテナモジュール１２１２の第２のアンテナの使用をトリガするために第１の無線モジュール１２０６にシグナリング１２６６を与え得る。
【００７２】
[0084]  別の態様では、第１の動作のタイプがアイドルモードであるとき、切替えモジュール１２１０は、装置１２０２がアイドルモードウェイク期間中にあるかどうかを決定する。装置１２０２がアイドルモードウェイク期間中にあるとき、切替えモジュール１２１０は、第２の動作のタイプがより低い優先度を有することを識別し、アイドルモードウェイク期間中、第１のアンテナを使用するために第２の無線モジュール１２０８を切り替えることを控える。装置１２０２がアイドルモードウェイク期間中にないとき、切替えモジュール１２１０は、装置１２０２がアイドルモードスリープ期間中にあると決定し、第２の動作のタイプがアイドルモードよりも高い優先度を有することを識別する。切替えモジュール１２１０は、次いで、アイドルモードスリープ期間中、アンテナモジュール１２１２の第１のアンテナの使用をトリガするために第２の無線モジュール１２０８にシグナリング１２６０を与え得る。
【００７３】
[0085]  本装置は、図８の上述のフローチャート中のアルゴリズムのステップの各々を実行する追加のモジュールを含み得る。したがって、図８の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７４】
[0086]  図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２、１２１４と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００７５】
[0087]  処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信した信号から情報を抽出し、抽出された情報を処理システム１３１４、特にアンテナモジュール１２１２または受信モジュール１２０４に与える。さらに、トランシーバ１３１０は、処理システム１３１４、特にアンテナモジュール１２１２または送信モジュール１２１４から情報を受信し、受信した情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、１２１０、１２１２、および１２１４のうちの少なくとも１つをさらに含む。それらのモジュールは、プロセッサ１３０４中で動作するか、コンピュータ可読媒体／メモリ１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００７６】
[0088]  一構成では、ワイヤレス通信アンテナ切替えを制御するための装置１２０２／１２０２’は、第１の無線モジュールが第１の動作を実行するために第１のアンテナを使用することを可能にするための手段と、第２の動作を実行するための送信アンテナ選択中に第２の無線モジュールが第１のアンテナを使用しようと試みることを検出するための手段と、第１の動作のタイプに基づいて、第１のアンテナの使用を第１の無線モジュールから第２の無線モジュールに切り替えるべきかどうかを決定するための手段と、第２の動作が動作のセット中にあるかどうかを決定するための手段と、第２の動作が動作のセット中にあるとき、第１のアンテナを使用するために第２の無線モジュールを切り替えることを控えるための手段と、第２の動作が動作のセット中にないとき、第１のアンテナを使用するために第２の無線モジュールを切り替えるための手段と、アイドルモードウェイク期間中、第１のアンテナを使用するために第２の無線モジュールを切り替えることを控えるための手段と、アイドルモードスリープ期間中、第１のアンテナを使用するために第２の無線モジュールを切り替えるための手段とを含む。
【００７７】
[0089]  上述の手段は、上述の手段によって具陳された機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００７８】
[0090]  開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００７９】
[0091]  以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2016532384.tif 000003
【図２】
2016532384.tif 000004
【図３】
2016532384.tif 000005
【図４】
2016532384.tif 000006
【図５】
2016532384.tif 000007
【図６】
2016532384.tif 000008
【図７】
2016532384.tif 000009
【図８】
2016532384.tif 000010
【図９】
2016532384.tif 000011
【図１０】
2016532384.tif 000012
【図１１Ａ】
2016532384.tif 000013
【図１１Ｂ】
2016532384.tif 000014
【図１２】
2016532384.tif 000015
【図１３】
2016532384.tif 000016
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
アンテナ切替えを制御する方法であって、
第１の無線モジュールが第１の動作を実行するために第１のアンテナを使用することを可能にすることと、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えることを控えるべきかどうかを決定することとを備える、方法。
【請求項２】
前記第２の無線モジュールがＬＴＥ（登録商標）無線モジュールである、請求項１に記載の方法。
【請求項３】
前記第１のアンテナの使用を切り替えるべきかどうかを前記決定することは、
前記第２の動作のタイプを決定することと、
前記第２の動作の前記タイプが前記第１の動作の前記タイプよりも低い優先度を有するとき、前記第１のアンテナを使用するために前記第２の無線モジュールを切り替えることを控えることと
を備える、請求項１に記載の方法。
【請求項４】
前記第１のアンテナの使用を切り替えるべきかどうかを前記決定することは、
前記第２の動作の前記タイプが動作のセット中にあるかどうかを決定することと、
前記第２の動作の前記タイプが動作の前記セット中にあるとき、前記第２の動作の前記タイプが前記より低い優先度を有することを識別することと
をさらに備える、請求項３に記載の方法。
【請求項５】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、請求項４に記載の方法。
【請求項６】
前記第１のアンテナの使用を切り替えるべきかどうかを前記決定することは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
をさらに備える、請求項４に記載の方法。
【請求項７】
前記控えることは、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることを備える、請求項３に記載の方法。
【請求項８】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、請求項４に記載の方法。
【請求項９】
前記第１の動作の前記タイプがアイドルモードを備え、前記第１のアンテナの使用を切り替えるべきかどうかを前記決定することは、
アイドルモードウェイク期間中、前記第２の動作の前記タイプが前記より低い優先度を有することを識別することと、
前記アイドルモードウェイク期間中、前記第２の無線モジュールが前記第１のアンテナを使用するように切り替えることを控えることと
を備える、請求項３に記載の方法。
【請求項１０】
前記第１のアンテナの使用を切り替えるべきかどうかを前記決定することは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
をさらに備える、請求項９に記載の方法。
【請求項１１】
前記第１の動作の前記タイプが、ボイス呼、または不良チャネル状態中に行われる動作を備え、
前記第１のアンテナの使用を切り替えるべきかどうかを前記決定することは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記より低い優先度を有することを識別することと
をさらに備える、
請求項３に記載の方法。
【請求項１２】
前記第１のアンテナの使用を切り替えるべきかどうかを前記決定することが、前記ＳＲＳ送信をドロップすることをさらに備える、請求項１１に記載の方法。
【請求項１３】
アンテナ切替えを制御するための装置であって、
メモリと、
前記メモリに結合され、
第１の無線モジュールが第１の動作を実行するために第１のアンテナを使用することを可能にすることと、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えを控えるべきかどうかを決定することとを行うように構成された、少なくとも１つのプロセッサと
を備える、装置。
【請求項１４】
前記第２の無線モジュールがＬＴＥ無線モジュールである、請求項１３に記載の装置。
【請求項１５】
前記少なくとも１つのプロセッサは、
前記第２の動作のタイプを決定することと、
前記第２の動作の前記タイプが前記第１の動作の前記タイプよりも低い優先度を有するとき、前記第２の無線モジュールが前記第１のアンテナを使用するように切り替えることを控えることと
によって前記第１のアンテナの使用を切り替えるべきかどうかを決定するように構成された、請求項１３に記載の装置。
【請求項１６】
前記少なくとも１つのプロセッサは、
前記第２の動作の前記タイプが動作のセット中にあるかどうかを決定することと、
前記第２の動作の前記タイプが動作の前記セット中にあるとき、前記第２の動作の前記タイプが前記より低い優先度を有することを識別することと
によって前記第１のアンテナの使用を切り替えるべきかどうかを決定するようにさらに構成された、請求項１５に記載の装置。
【請求項１７】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、請求項１６に記載の装置。
【請求項１８】
前記少なくとも１つのプロセッサは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
によって前記第１のアンテナの使用を切り替えるべきかどうかを決定するようにさらに構成された、請求項１６に記載の装置。
【請求項１９】
前記少なくとも１つのプロセッサが、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることによって控えるように構成された、請求項１５に記載の装置。
【請求項２０】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、請求項１６に記載の装置。
【請求項２１】
前記第１の動作の前記タイプがアイドルモードを備え、前記少なくとも１つのプロセッサは、
アイドルモードウェイク期間中、前記第２の動作の前記タイプが前記より低い優先度を有することを識別することと、
前記アイドルモードウェイク期間中、前記第２の無線モジュールが前記第１のアンテナを使用するように切り替えることを控えることと
によって、前記第１のアンテナの使用を切り替えるべきかどうかを決定するようにさらに構成された、請求項１５に記載の装置。
【請求項２２】
前記少なくとも１つのプロセッサは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
によって、前記第１のアンテナの使用を切り替えるべきかどうかを決定するようにさらに構成された、請求項２１に記載の装置。
【請求項２３】
前記第１の動作の前記タイプが、ボイス呼、または不良チャネル状態中に行われる動作を備え、
前記少なくとも１つのプロセッサは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記より低い優先度を有することを識別することと
によって、前記第１のアンテナの使用を切り替えるべきかどうかを決定するようにさらに構成された、
請求項１５に記載の装置。
【請求項２４】
前記少なくとも１つのプロセッサが、前記ＳＲＳ送信をドロップするようにさらに構成された、請求項２３に記載の装置。
【請求項２５】
アンテナ切替えを制御するための装置であって、
第１の無線モジュールが第１の動作を実行するために第１のアンテナを使用することを可能にするための手段と、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出するための手段と、
前記第１の動作のタイプに基づいて、前記第１のアンテナの使用を前記第１の無線モジュールから前記第２の無線モジュールに切り替えることを控えるべきかどうかを決定するための手段とを備える、装置。
【請求項２６】
前記第１のアンテナの使用を切り替えるべきかどうかを決定するための前記手段は、
前記第２の動作のタイプを決定することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記より低い優先度を有するとき、前記第２の無線モジュールが前記第１のアンテナを使用するように切り替えることを控えることと
を行うように構成された、請求項２５に記載の装置。
【請求項２７】
前記第１のアンテナの使用を切り替えるべきかどうかを決定するための前記手段は、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、請求項２６に記載の装置。
【請求項２８】
コンピュータ可読媒体に記憶されたアンテナ切替えを制御するためのコンピュータプログラム製品あって、少なくとも１つのコンピュータ上で実行されたとき、
第１の無線モジュールが第１の動作を実行するために第１のアンテナを使用することを可能にすることと、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えることを控えるべきかどうかを決定することとのステップを実行するコードを備える、コンピュータプログラム製品。
【請求項２９】
前記第１のアンテナの使用を切り替えるべきかどうかを決定する前記ステップを実行する前記コードは、
前記第２の動作のタイプを決定することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記より低い優先度を有するとき、前記第２の無線モジュールが前記第１のアンテナを使用するように切り替えることを控えることと
を行うように構成された、請求項２８に記載のコンピュータプログラム製品。
【請求項３０】
前記第１のアンテナの使用を切り替えるべきかどうかを決定する前記ステップを実行する前記コードは、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、請求項２９に記載のコンピュータプログラム製品。
【請求項３１】
切り替えることを控えることは、前記送信アンテナ選択を実行するために前記第２のモジュールの能力をスロットリングすることを含む、請求項１に記載の方法。
【請求項３２】
前記スロットリングすることは、前記第２の無線モジュールが送信アンテナ選択を実行する頻度を低下させることを含む、請求項３１に記載の方法。
【請求項３３】
前記スロットリングすることは、前記第１の無線モジュールが前記第１のアンテナを使用する間、前記第２の無線モジュールによる送信アンテナ選択の実行を除去することを含む、請求項３２に記載の方法。
【手続補正２】
【補正対象書類名】明細書
【補正対象項目名】００７９
【補正方法】変更
【補正の内容】
【００７９】
[0091]  以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
[Ｃ１]
アンテナ切替えを制御する方法であって、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することとを備える、方法。
[Ｃ２]
前記第２の無線モジュールがＬＴＥ無線モジュールである、Ｃ１に記載の方法。
[Ｃ３]
前記第１のアンテナの使用を切り替えるべきかどうかを前記決定することは、
前記第２の動作のタイプを決定することと、
前記第２の動作の前記タイプが前記第１の動作の前記タイプよりも低い優先度を有するとき、前記第１のアンテナを使用するために前記第２の無線モジュールを切り替えることを控えることと
を備える、Ｃ１に記載の方法。
[Ｃ４]
前記第１のアンテナの使用を切り替えるべきかどうかを前記決定することは、
前記第２の動作の前記タイプが動作のセット中にあるかどうかを決定することと、
前記第２の動作の前記タイプが動作の前記セット中にあるとき、前記第２の動作の前記タイプが前記低い優先度を有することを識別することと
をさらに備える、Ｃ３に記載の方法。
[Ｃ５]
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、Ｃ４に記載の方法。
[Ｃ６]
前記第１のアンテナの使用を切り替えるべきかどうかを前記決定することは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
をさらに備える、Ｃ４に記載の方法。
[Ｃ７]
前記控えることは、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることを備える、Ｃ３に記載の方法。
[Ｃ８]
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、Ｃ４に記載の方法。
[Ｃ９]
前記第１の動作の前記タイプがアイドルモードを備え、前記第１のアンテナの使用を切り替えるべきかどうかを前記決定することは、
アイドルモードウェイク期間中、前記第２の動作の前記タイプが前記低い優先度を有することを識別することと、
前記アイドルモードウェイク期間中、前記第２の無線モジュールが前記第１のアンテナを使用するように切り替えることを控えることと
を備える、Ｃ３に記載の方法。
[Ｃ１０]
前記第１のアンテナの使用を切り替えるべきかどうかを前記決定することは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
をさらに備える、Ｃ９に記載の方法。
[Ｃ１１]
前記第１の動作の前記タイプが、ボイス呼、または不良チャネル状態中に行われる動作を備え、
前記第１のアンテナの使用を切り替えるべきかどうかを前記決定することは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記低い優先度を有することを識別することと
をさらに備える、
Ｃ３に記載の方法。
[Ｃ１２]
前記第１のアンテナの使用を切り替えるべきかどうかを前記決定することが、前記ＳＲＳ送信をドロップすることをさらに備える、Ｃ１１に記載の方法。
[Ｃ１３]
アンテナ切替えを制御するための装置であって、
メモリと、
前記メモリに結合され、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することとを行うように構成された、少なくとも１つのプロセッサと
を備える、装置。
[Ｃ１４]
前記第２の無線モジュールがＬＴＥ無線モジュールである、Ｃ１３に記載の装置。
[Ｃ１５]
前記少なくとも１つのプロセッサは、
前記第２の動作のタイプを決定することと、
前記第２の動作の前記タイプが前記第１の動作の前記タイプよりも低い優先度を有するとき、前記第２の無線モジュールが前記第１のアンテナを使用するように切り替えることを控えることと
によって前記第１のアンテナの使用を切り替えるべきかどうかを決定するように構成された、Ｃ１３に記載の装置。
[Ｃ１６]
前記少なくとも１つのプロセッサは、
前記第２の動作の前記タイプが動作のセット中にあるかどうかを決定することと、
前記第２の動作の前記タイプが動作の前記セット中にあるとき、前記第２の動作の前記タイプが前記低い優先度を有することを識別することと
によって前記第１のアンテナの使用を切り替えるべきかどうかを決定するようにさらに構成された、Ｃ１５に記載の装置。
[Ｃ１７]
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、Ｃ１６に記載の装置。
[Ｃ１８]
前記少なくとも１つのプロセッサは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることと
によって前記第１のアンテナの使用を切り替えるべきかどうかを決定するようにさらに構成された、Ｃ１６に記載の装置。
[Ｃ１９]
前記少なくとも１つのプロセッサが、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることによって控えるように構成された、Ｃ１５に記載の装置。
[Ｃ２０]
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、Ｃ１６に記載の装置。
[Ｃ２１]
前記第１の動作の前記タイプがアイドルモードを備え、前記少なくとも１つのプロセッサは、
アイドルモードウェイク期間中、前記第２の動作の前記タイプが前記低い優先度を有することを識別することと、
前記アイドルモードウェイク期間中、前記第２の無線モジュールが前記第１のアンテナを使用するように切り替えることを控えることと
によって、前記第１のアンテナの使用を切り替えるべきかどうかを決定するようにさらに構成された、Ｃ１５に記載の装置。
[Ｃ２２]
前記少なくとも１つのプロセッサは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることと
によって、前記第１のアンテナの使用を切り替えるべきかどうかを決定するようにさらに構成された、Ｃ２１に記載の装置。
[Ｃ２３]
前記第１の動作の前記タイプが、ボイス呼、または不良チャネル状態中に行われる動作を備え、
前記少なくとも１つのプロセッサは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記低い優先度を有することを識別することと
によって、前記第１のアンテナの使用を切り替えるべきかどうかを決定するようにさらに構成された、
Ｃ１５に記載の装置。
[Ｃ２４]
前記少なくとも１つのプロセッサが、前記ＳＲＳ送信をドロップするようにさらに構成された、Ｃ２３に記載の装置。
[Ｃ２５]
アンテナ切替えを制御するための装置であって、
第１の無線モジュールが第１の動作を実行するために第１のアンテナを使用することを可能にするための手段と、
第２の動作を実行するための送信アンテナ選択中に第２の無線モジュールが前記第１のアンテナを使用しようと試みることを検出するための手段と、
前記第１の動作のタイプに基づいて、前記第１のアンテナの使用を前記第１の無線モジュールから前記第２の無線モジュールに切り替えるべきかどうかを決定するための手段とを備える、装置。
[Ｃ２６]
前記第１のアンテナの使用を切り替えるべきかどうかを決定するための前記手段は、
前記第２の動作のタイプを判断することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記低い優先度を有するとき、前記第２の無線モジュールが前記第１のアンテナを使用するように切り替えることを控えることと
を行うように構成された、Ｃ２５に記載の装置。
[Ｃ２７]
前記第１のアンテナの使用を切り替えるべきかどうかを決定するための前記手段は、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、Ｃ２６に記載の装置。
[Ｃ２８]
コンピュータ可読媒体に記憶されたアンテナ切替えを制御するためのコンピュータプログラム製品あって、少なくとも１つのコンピュータ上で実行されたとき、
第１の無線モジュールが第１の動作を実行するために第１のアンテナを使用することを可能にすることと、
第２の動作を実行するための送信アンテナ選択中に第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えるべきかどうかを決定することとのステップを実行するコードを備える、コンピュータプログラム製品。
[Ｃ２９]
前記第１のアンテナの使用を切り替えるべきかどうかを決定する前記ステップを実行する前記コードは、
前記第２の動作のタイプを判断することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記低い優先度を有するとき、前記第２の無線モジュールが前記第１のアンテナを使用するように切り替えることを控えることと
を行うように構成された、Ｃ２８に記載のコンピュータプログラム製品。
[Ｃ３０]
前記第１のアンテナの使用を切り替えるべきかどうかを決定する前記ステップを実行する前記コードは、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることと
を行うようにさらに構成された、Ｃ２９に記載のコンピュータプログラム製品。
【国際調査報告】
2016532384.tif 000017
2016532384.tif 000018